(57)【特許請求の範囲】
【請求項１】
領域情報として地紋に潜像を埋め込む領域を指定する指定手段と、
前記指定手段により指定された領域に潜像が埋め込まれるように前記領域情報に基づいて地紋データを生成する地紋データ生成手段と、
前記地紋データ生成手段により生成された地紋データに基づいて地紋が被記録媒体に印刷される際に所定の枠画像が前記地紋とともに前記被記録媒体に印刷されるように制御する制御手段と、
を備え、
前記枠画像は、前記地紋が印刷される領域内において前記潜像の埋め込み領域と前記潜像の非埋め込み領域との境界を示す画像であり、
前記制御手段は、前記領域情報に基づいて前記枠画像が印刷される領域を調整することを特徴とする印刷装置。
【請求項２】
前記制御手段は、前記領域情報に基づいて前記枠画像の印刷サイズまたは印刷位置を調整することを特徴とする請求項１に記載の印刷装置。
【請求項３】
複写が牽制される資料を作成するためのコピーガード資料作成モードと、ユーザの視認により資料から読み取れる情報が複写後に補充されるように潜像を活用したプレゼンテーション資料を作成するためのプレゼン資料作成モードと、を切り替え選択するモード切替手段を備え、
前記制御手段は、前記コピーガード資料作成モードと前記プレゼン資料作成モードとのうち前記プレゼン資料作成モードが前記モード切替手段により選択されたときに、前記枠画像が印刷されるように制御することを特徴とする請求項１または請求項２に記載の印刷装置。
【請求項４】
領域情報として地紋に潜像を埋め込む領域が指定される指定ステップと、
前記指定ステップで指定された領域に潜像が埋め込まれるように前記領域情報に基づいて地紋データを生成する地紋データ生成ステップと、
前記地紋データ生成ステップで生成された地紋データに基づいて地紋が被記録媒体に印刷される際に所定の枠画像が前記地紋とともに前記被記録媒体に印刷されるように制御する制御ステップと、
を有し、
前記枠画像は、前記地紋が印刷される領域内において前記潜像の埋め込み領域と前記潜像の非埋め込み領域との境界を示す画像であり、
前記制御ステップは、前記領域情報に基づいて前記枠画像が印刷される領域を調整することを特徴とする印刷方法。
【請求項５】
地紋と枠画像とが被印刷媒体に印刷されている印刷物の製造方法であって、
領域情報として地紋に潜像を埋め込む領域が指定される指定ステップと、
前記指定ステップで指定された領域に潜像が埋め込まれるように前記領域情報に基づいて地紋データを生成する地紋データ生成ステップと、
前記地紋データ生成ステップで生成された地紋データに基づいて地紋が被記録媒体に印刷される際に所定の枠画像が前記地紋とともに前記被記録媒体に印刷されるように制御する制御ステップと、
を有し、
前記枠画像は、前記地紋が印刷される領域内において前記潜像の埋め込み領域と前記潜像の非埋め込み領域との境界を示す画像であり、
前記制御ステップは、前記領域情報に基づいて前記枠画像が印刷される領域を調整することを特徴とする印刷物の製造方法。
【請求項６】
コンピュータを、
領域情報として地紋に潜像を埋め込む領域をユーザ操作に基づいて指定する指定手段、
前記指定手段により指定された領域に潜像が埋め込まれるように前記領域情報に基づいて地紋データを生成する地紋データ生成手段、
前記地紋データ生成手段により生成された地紋データに基づいて地紋が被記録媒体に印刷される際に所定の枠画像が前記地紋とともに前記被記録媒体に印刷されるように制御する制御手段、
として機能させ、
前記枠画像は、前記地紋が印刷される領域内において前記潜像の埋め込み領域と前記潜像の非埋め込み領域との境界を示す画像であり、
前記制御手段は、前記領域情報に基づいて前記枠画像が印刷される領域を調整することを特徴とするプログラム。
【発明の詳細な説明】
【技術分野】
【０００１】
本発明は、印刷装置、印刷方法、印刷物の製造方法およびプログラムに関する。
【背景技術】
【０００２】
顧客との商談や打ち合わせにおいては、予め説明者側で説明資料（印刷物）を準備しておき、顧客に説明資料（印刷物）を配布し、これに基づいて商談や打ち合わせを行っている。この際、伝えたいことを明瞭にするために、説明資料には最重要事項のみ印刷表示して、最重要事項の補足説明や他の重要事項の説明を口頭で行うことが多い。この場合、顧客は、口頭で説明された内容を説明資料にメモ書きしたり、口頭説明の内容を記憶したりしている。このような状況で、商談や打ち合わせには、顧客のキーマンが出席していない場合もあり、顧客に配布する資料に、口頭で説明した内容等の補足説明も記載できることが望ましい。
【０００３】
ところで、プリンタで印刷出力した機密文書が不正に複写された際に、不正に複写されたものであることが明確に識別できるようする印刷制御技術がある。（例えば、特許文献１を参照）。この印刷制御技術は、複写した際に、「コピー牽制文字」を浮き出させながら、原紙にはできるだけ目立たないように工夫された地紋を印刷するものである。これにより、プリンタ等の印刷装置でも容易に出力帳票の不正なコピーを識別でき、不正複写の牽制を行うことができる。
【先行技術文献】
【特許文献】
【０００４】
【特許文献１】特開２００６−３１９９９４号公報
【発明の概要】
【発明が解決しようとする課題】
【０００５】
上記の先行技術を適用し、「コピー牽制文字」に替えて、上記の最重要事項の補足説明や他の重要事項等の「補足説明」を地紋として説明資料に印刷することが考えられる。この印刷物を複写することで、「補足説明」が浮き出されるので、商談や打ち合わせを欠席した顧客のキーマンにも、口頭で説明した内容を伝えることができる。
【０００６】
しかし、上記の先行技術を適用しただけでは、説明資料（印刷物）のどの部分の補足説明であるのかを示すことができない問題や、複数の補足説明の記載が考慮されていない問題がある。
【０００７】
本発明は、前記問題に鑑みてなされたものであり、複写を行うことで、補足説明を浮き出させることができるとともに、補足箇所が明示された説明資料を印刷する印刷装置、印刷方法、印刷物の製造方法およびプログラムを提供することにある。
【課題を解決するための手段】
【０００８】
上記目的を達成するために、本発明に係る印刷装置は、領域情報として地紋に潜像を埋め込む領域を指定する指定手段と、前記指定手段により指定された領域に潜像が埋め込まれるように前記領域情報に基づいて地紋データを生成する地紋データ生成手段と、前記地紋データ生成手段により生成された地紋データに基づいて地紋が被記録媒体に印刷される際に所定の枠画像が前記地紋とともに前記被記録媒体に印刷されるように制御する制御手段と、を備え、前記枠画像は、前記地紋が印刷される領域内において前記潜像の埋め込み領域と前記潜像の非埋め込み領域との境界を示す画像であり、前記制御手段は、前記領域情報に基づいて前記枠画像が印刷される領域を調整することを特徴とする。
【０００９】
また、本発明に係る印刷方法は、領域情報として地紋に潜像を埋め込む領域が指定される指定ステップと、前記指定ステップで指定された領域に潜像が埋め込まれるように前記領域情報に基づいて地紋データを生成する地紋データ生成ステップと、前記地紋データ生成ステップで生成された地紋データに基づいて地紋が被記録媒体に印刷される際に所定の枠画像が前記地紋とともに前記被記録媒体に印刷されるように制御する制御ステップと、を有し、前記枠画像は、前記地紋が印刷される領域内において前記潜像の埋め込み領域と前記潜像の非埋め込み領域との境界を示す画像であり、前記制御ステップは、前記領域情報に基づいて前記枠画像が印刷される領域を調整することを特徴とする。
【００１０】
また、本発明に係る印刷物の製造方法は、地紋と枠画像とが被印刷媒体に印刷されている印刷物の製造方法であって、領域情報として地紋に潜像を埋め込む領域が指定される指定ステップと、前記指定ステップで指定された領域に潜像が埋め込まれるように前記領域情報に基づいて地紋データを生成する地紋データ生成ステップと、前記地紋データ生成ステップで生成された地紋データに基づいて地紋が被記録媒体に印刷される際に所定の枠画像が前記地紋とともに前記被記録媒体に印刷されるように制御する制御ステップと、
を有し、前記枠画像は、前記地紋が印刷される領域内において前記潜像の埋め込み領域と前記潜像の非埋め込み領域との境界を示す画像であり、前記制御ステップは、前記領域情報に基づいて前記枠画像が印刷される領域を調整することを特徴とする。
また、本発明に係るプログラムは、コンピュータを、領域情報として地紋に潜像を埋め込む領域をユーザ操作に基づいて指定する指定手段、前記指定手段により指定された領域に潜像が埋め込まれるように前記領域情報に基づいて地紋データを生成する地紋データ生成手段、前記地紋データ生成手段により生成された地紋データに基づいて地紋が被記録媒体に印刷される際に所定の枠画像が前記地紋とともに前記被記録媒体に印刷されるように制御する制御手段、として機能させ、前記枠画像は、前記地紋が印刷される領域内において前記潜像の埋め込み領域と前記潜像の非埋め込み領域との境界を示す画像であり、前記制御手段は、前記領域情報に基づいて前記枠画像が印刷される領域を調整することを特徴とする。
【発明の効果】
【００１１】
本発明によれば、複写を行うことで、補足説明を浮き出させることができるとともに、補足箇所が明示された説明資料を印刷することができる。
【図面の簡単な説明】
【００１２】
【図１】本発明の実施形態に係る印刷装置のハードウェア構成を示す図である。
【図２】本発明の実施形態に係る印刷装置の印刷制御に関する機能を示すブロック図である。
【図３】本発明の実施形態に係る印刷装置が作成するコピーガード資料用の印刷データのイメージ図である。
【図４】本発明の実施形態に係る印刷装置が作成するコピーガード資料用の印刷データの印刷結果を説明するための図であり、（ａ）はコピーガード資料用の印刷データを印刷した印刷原稿であり、（ｂ）はコピーガード資料用の印刷原稿をコピー（複写）した複写原稿である。
【図５】本発明の実施形態に係る印刷装置が作成するプレゼン資料用の印刷データのイメージ図である。
【図６】本発明の実施形態に係る印刷装置が作成するプレゼン資料用の印刷データの印刷結果を示すものであり、（ａ）はプレゼン資料用の印刷データを印刷した印刷原稿であり、（ｂ）はプレゼン資料用の印刷原稿をコピー（複写）した複写原稿である。
【図７】本発明の実施形態に係る印刷装置の処理を示すフローチャートの例示である。
【図８】地紋データの設定画面の例示である。
【図９】地紋データの内容情報の入力ウィンドウの例示である。
【図１０】地紋データの入力・編集制御を示すフローチャートの例示である。
【図１１】（ａ）はコピーガード資料の例示であり、（ｂ）はコピーガード資料のコピーの例示である。
【図１２】（ａ）はプレゼン資料の例示であり、（ｂ）はプレゼン資料のコピーの例示である。
【図１３】枠画像の変形例を示すものである。
【発明を実施するための形態】
【００１３】
以下、本発明の実施をするための形態を、適宜図面を参照しながら詳細に説明する。
各図は、本発明を十分に理解できる程度に、概略的に示してあるに過ぎない。よって、本発明は、図示例のみに限定されるものではない。なお、各図において、共通する構成要素や同様な構成要素については、同一の符号を付し、それらの重複する説明を省略する。
【００１４】
＜実施形態に係る印刷装置の構成について＞
図１は、実施形態の印刷装置１のハードウェア構成を示すブロック図である。
本実施形態では、印刷装置１として、地紋を印刷することが可能な画像形成装置（例えば、プリンタや複合機）にＬＡＮ（Local Area Network）を介して通信可能に接続されたＰＣ（Personal Computer）を想定する。なお、ＰＣと画像形成装置とを含めて印刷装置１としてもよい。
【００１５】
印刷装置１は、ＣＰＵ（Central Processing Unit）２、ＲＡＭ（Random Access Memory）３、記憶部４、印刷出力部５、表示部６、入力部７および伝送制御部８を備えて構成され、各部はバスにより接続されている。
【００１６】
ＣＰＵ２は、記憶部４に記憶されたシステムプログラム読み出して、ＲＡＭ３内のワークエリアに展開して実行することで、印刷装置１の各部を駆動制御する。また、ＣＰＵ２は、記憶部４に記憶された地紋印刷アプリケーションプログラム２１（以下、省略して「地紋アプリ２１」と記す場合がある）を読み出して実行して印刷データを作成する。作成された印刷データはＲＡＭ３内の印刷メモリ３１に格納される。
【００１７】
記憶部４は、種々のプログラムの他にドキュメントデータＰ1（図２参照）を記憶している。ドキュメントデータＰ1は、各種のアプリケーションを用いて作成されたファイルであり、例えば、文書ファイル、図表ファイル、画像ファイルなどであってよい。ドキュメントデータＰ1は、それ単体で印刷することが可能であり、例えば、印刷装置１または印刷装置１以外の装置によって作成されてもよい。
【００１８】
印刷出力部５は、印刷装置１で作成された印刷データを接続される画像形成装置に出力するものである。表示部６は、ユーザに対して種々の情報を出力するものであり、例えば、液晶ディスプレイである。入力部７は、ユーザによる入力操作を受け付けるものであり、例えば、キーボード・マウスやタブレット等である。伝送制御部８は、他の装置との通信を制御するものである。なお、表示部６と入力部７とは一体的に構成されていてもよい。
【００１９】
図２は、ＣＰＵ２で実行される地紋アプリ２１の機能を示すブロック図である。
印刷装置１のＣＰＵ２は、地紋アプリ２１を実行することにより、処理部１０として、地紋領域指定手段１１と、地紋データ生成手段１２と、モード切替手段１３と、印刷制御手段１４との各部を具現化する。処理部１０は、記憶部４に格納されたドキュメントデータＰ1を参照する。
【００２０】
地紋領域指定手段１１は、ドキュメントデータＰ1と共に印刷する地紋に潜像を埋め込む領域を指定する。一般的に、地紋は異なる大きさの画素（小ドットと大ドット）の配列であり、潜像は大ドットからなる画像（文字や図形を含む）である。潜像を埋め込む領域の指定は、例えば、ユーザによる入力部７の操作によって行われる。潜像を埋め込む領域の指定方法は特に限定されず、例えば、潜像を埋め込む領域の特定位置（例えば、始点、終点、中心位置の座標など）を指定されて行われてもよい。地紋領域指定手段１１は、入力された領域情報を地紋データ生成手段１２に通知する。
【００２１】
地紋データ生成手段１２は、地紋領域指定手段１１によって指定された領域に、潜像を埋め込んだ地紋データＰ2を作成する。埋め込む潜像の内容は、例えば、ユーザによる入力部７の操作によって行われる。潜像の内容は、例えば、複写禁止の警告語句や複写物であることを表す語句や、ドキュメントデータＰ1の内容を補足する画像（文字や図形など）などであってよい。前者は、後記するコピーガード資料作成モードの場合に使用され、後者は、プレゼン資料作成モードの場合に使用される。地紋データ生成手段１２は、作成した地紋データＰ2を印刷制御手段１４に受け渡す。
【００２２】
モード切替手段１３は、コピーガード資料作成モードと、プレゼン資料作成モードとの切り替えを制御する。コピーガード資料作成モードは、複写が牽制される資料を作成するための印刷モードである。一方、プレゼン資料作成モードは、視認情報を削減したプレゼンテーション資料を生成するためのモードである。モードの選択は、例えば、ユーザによる入力部７の操作によって行われ、モード切替手段１３は、選択されたモードを印刷制御手段１４に通知する。なお、ユーザによるモードの選択は、それ自体が単独の操作であってもよいし、他の操作（例えば、印刷指示）と一体となっていてもよい。
【００２３】
印刷制御手段１４は、コピーガード資料印刷制御手段１４１と、プレゼン資料印刷制御手段１４２とからなる。印刷制御手段１４は、記憶部４からドキュメントデータＰ1を取得すると共に、地紋データ生成手段１２から地紋データＰ2を取得する。また、印刷制御手段１４は、モード切替手段１３から印刷モードが通知される。
【００２４】
コピーガード資料印刷制御手段１４１は、コピーガード資料作成モードでの印刷制御を行う。具体的には、コピーガード資料印刷制御手段１４１は、ドキュメントデータＰ1に地紋データＰ2を加えて、コピーガード資料用の印刷データＰAを作成する。
図３に、コピーガード資料用の印刷データＰAのイメージ図を示す。コピーガード資料用の印刷データＰAは、ドキュメントデータＰ1と、地紋データＰ2とからなる。
【００２５】
ドキュメントデータＰ1は、各種のアプリケーションを用いて作成されたファイルであり、例えば、文書ファイル、図表ファイル、画像ファイルなどであってよい。ドキュメントデータＰ1は、それ単体で印刷することが可能である。
地紋データＰ2は、異なる大きさの画素（小ドットと大ドット）の配列（地紋）により構成されている。地紋データＰ2は、小ドットからなる背景Ｐ21と、大ドットからなる潜像Ｐ22とからなる。背景Ｐ21はコピー後に画像形成装置の画像再現能力の限界によって画像が消失する部分であり、一方、潜像Ｐ22はコピー後に画像が消失せずに再現される部分である。潜像Ｐ22は、コピー前（背景Ｐ21が消失する前）の状態において、背景Ｐ21の影響により視認することが困難になっている。コピーガード資料用としては、潜像Ｐ22として、複写禁止の警告語句や複写物であることを表す語句などが使用されることを想定している。なお、潜像Ｐ22は、一つのドキュメントデータＰ1内に複数存在していてもよい。また、背景Ｐ21は、予めパターンとして記憶されていてもよい。
【００２６】
図４（ａ）に、コピーガード資料用の印刷データＰAの印刷結果であるコピーガード資料ＱAを示す。図４（ａ）に示すように、コピーガード資料ＱAには、ドキュメントデータＰ1の内容と、地紋データＰ2の背景Ｐ21を印刷した背景部分Ｑ21および潜像Ｐ22を印刷した潜像部分Ｑ22とが印刷される。なお、潜像部分Ｑ22は、背景部分Ｑ21の影響により視認することが難しくなっており、ユーザは、潜像部分Ｑ22を把握することができなくなっている。
【００２７】
図４（ｂ）に、コピーガード資料ＱAのコピーＲAを示す。図４（ｂ）に示すように、コピーガード資料ＱAのコピーＲAには、ドキュメントデータＰ1の内容と、潜像Ｐ22を印刷した潜像部分Ｒ22とが印刷される。ここで、潜像部分Ｒ22は、コピーガード資料ＱAと異なり、背景部分Ｑ21の影響を受けない。その為、ユーザは、潜像部分Ｒ22（例えば、複写禁止の警告語句など）を視認することができる。
【００２８】
図２に戻り、プレゼン資料印刷制御手段１４２の説明を行う。プレゼン資料印刷制御手段１４２は、プレゼン資料作成モードでの印刷制御を行う。具体的には、コピーガード資料印刷制御手段１４１は、潜像を埋め込む領域を示す枠画像を生成する。この枠画像は、潜像を埋め込む領域を視認することができるものであればよく、その形状や色などは特に限定されない。枠画像は、例えば、矩形状や円形状などであってよい。ここでは、枠画像として、矩形状を想定して説明する。また、プレゼン資料印刷制御手段１４２は、領域情報に基づいて枠画像の印刷領域（印刷サイズや印刷位置）を算出し、枠画像を算出した印刷領域で調整した枠画像データＰ3を作成する。そして、プレゼン資料印刷制御手段１４２は、ドキュメントデータＰ1に地紋データＰ2および枠画像データＰ3を加えて、プレゼン資料用の印刷データＰBを作成する。
【００２９】
図５に、プレゼン資料用の印刷データＰBのイメージ図を示す。プレゼン資料用の印刷データＰBは、ドキュメントデータＰ1と、地紋データＰ2と、枠画像データＰ3とからなる。ドキュメントデータＰ1および地紋データＰ2は、コピーガード資料用の印刷データＰAと同様なので、ここでは説明を省略する。なお、プレゼン資料用としては、潜像Ｐ22としてドキュメントデータＰ1の内容を補足する画像（文字や図形など）が使用されることを想定している。
【００３０】
枠画像データＰ3は、枠画像Ｐ31を含んで構成される。枠画像Ｐ31は、地紋データＰ2に潜像Ｐ22が埋め込まれた領域を示す画像である。枠画像Ｐ31は、潜像Ｐ22に対応しており、一つのドキュメントデータＰ1内に複数存在してもよい。
【００３１】
図６（ａ）に、プレゼン資料用の印刷データＰBの印刷結果であるプレゼン資料ＱBを示す。図６（ａ）に示すように、プレゼン資料ＱBには、ドキュメントデータＰ1の内容と、地紋データＰ2の背景Ｐ21を印刷した背景部分Ｑ21および潜像Ｐ22を印刷した潜像部分Ｑ22と、枠画像データＰ3の枠画像Ｐ31を印刷した枠部分Ｑ31が印刷される。なお、潜像部分Ｑ22は、コピーガード資料ＱAと同様に、背景部分Ｑ21の影響により視認することが難しくなっており、ユーザは、潜像部分Ｑ22を把握することができなくなっている。しかしながら、枠部分Ｑ31は印刷されるので、ユーザは、プレゼン資料ＱBから視認ができない潜像部分Ｑ22の存在（位置や数を含む）を把握することが可能になる。
【００３２】
図６（ｂ）に、プレゼン資料ＱBのコピーＲBを示す。図６（ｂ）に示すように、プレゼン資料ＱBのコピーＲBには、ドキュメントデータＰ1の内容と、潜像Ｐ22を印刷した潜像部分Ｒ22と、枠画像データＰ3の枠画像Ｐ31を印刷した枠部分Ｒ31とが印刷される。ここで、潜像部分Ｒ22は、プレゼン資料ＱAと異なり背景部分Ｑ21の影響を受けない。その為、ユーザは、潜像部分Ｒ22（例えば、ドキュメントデータＰ1の内容を補足する画像（文字や図形など）など）を視認することができる。この点は、コピーガード資料ＱAのコピーＲAと同様である。
【００３３】
＜実施形態に係る印刷装置の動作について＞
次に、図７（適宜、図１および２参照）を参照して、実施形態に係る印刷装置１の動作を説明する。図７は、実施形態に係る印刷装置１の動作を示すフローチャートの例示である。
【００３４】
地紋領域指定手段１１は、潜像を埋め込む領域を指定するための画面を表示部６に表示し、ユーザによる領域情報の入力を受け付ける（ステップＳ１）。また、地紋データ生成手段１２は、埋め込む潜像の内容を入力するための画面を表示部６に表示し、ユーザによる内容情報の入力を受け付ける（ステップＳ２）。地紋データ生成手段１２は、取得した潜像の領域情報および内容情報に基づいて、地紋データを生成する（ステップＳ３）。
【００３５】
続いて、モード切替手段１３は、ユーザによる印刷モードの入力を受け付け（ステップＳ４）、指定された印刷モードの判定を行う（ステップＳ５）。コピーガード資料作成モードを指定された場合に、コピーガード資料印刷制御手段１４１は、ドキュメントデータＰ1と地紋データＰ2とからコピーガード資料用の印刷データＰAを作成する（ステップＳ６）。
【００３６】
一方、プレゼン資料作成モードを指定された場合に、プレゼン資料印刷制御手段１４２は、枠画像Ｐ31を生成し（ステップＳ７）、また、領域情報に基づいて枠画像Ｐ31の印刷領域（印刷サイズや印刷位置）を算出する（ステップＳ８）。これにより、枠画像データＰ3が作成される。そして、プレゼン資料印刷制御手段１４２は、ドキュメントデータＰ1と地紋データＰ2と枠画像データＰ3とからプレゼン資料用の印刷データＰBを作成する（ステップＳ９）。
【００３７】
＜実施例＞
次に、企業の業績を示す棒グラフが描かれたドキュメントデータＰ1から、コピーガード資料用の印刷データＰAを作成する場合と、プレゼン資料用の印刷データＰBを作成する場合とを例示する。
【００３８】
図８と図９は、地紋アプリ２１（図１参照）の設定画面を示す図であり、図８は、地紋データＰ2の設定画面４０を示し、図９は、地紋データＰ2の内容情報の入力ウィンドウ５０を示している。図８と図９の画面は、図２の処理部１０により制御されている。
【００３９】
図８の設定画面４０は、コマンドメニュを表示するメニューバー４１と、潜像の領域情報の追加・編集を行うイメージビューウィンドウ４２と、設定されている地紋データＰ2の情報を表示する設定値表示ウィンドウ４３とから構成されている。
【００４０】
メニューバー４１には、ここでは、「ファイル」ボタンと、「追加」ボタンと、「編集」ボタンと、「表示」ボタンと、「コピーガード印刷」ボタンと、「プレゼン印刷」ボタンが配置されている。
【００４１】
「ファイル」ボタンをクリックすると、ドキュメントデータＰ1を選択可能であり、選択されたドキュメントデータＰ1はイメージビューウィンドウ４２に表示される。
「追加」ボタンをクリックすると、ドキュメントデータＰ1に、新たな地紋データＰ2を追加することができる。
「編集」ボタンをクリックすると、ドキュメントデータＰ1に既に設定されている地紋データＰ2の編集を行うことができる。
【００４２】
例えば、「追加」ボタンをクリックされた後に、イメージビューウィンドウ４２内の任意の位置をマウスなどによって選択されると、図９の地紋データ情報入力のウィンドウ５０が開かれる。この地紋データ情報入力のウィンドウ５０は、新規に追加する潜像の名称である潜像名の入力欄５１と、地紋の地模様の入力欄５２と、枠画像の枠形状の種別の入力欄５３と、枠画像の線種の入力欄５４と、潜像の内容の入力欄５５とで構成される。
また、例えば、「編集」ボタンをクリックされた後に、潜像の配置位置を示す×印（符号４４）を選択されると、対応する地紋データの情報が入力されている地紋データ情報入力ウィンドウ５０が開かれ、これらの項目を編集することができる。
【００４３】
「表示」ボタンをクリックすると、設定されている地紋データＰ2の印刷イメージが表示される。表示方法は、コピーガード資料作成モードとプレゼン資料作成モードとの何れかを選択できるようにするとよい。前者の場合には、例えば、潜像の配置位置を示す×印（符号４４）に、設定されている潜像が表示される。後者の場合には、例えば、潜像の配置位置を示す×印（符号４４）に、設定されている潜像および枠画像が表示される。
【００４４】
「コピーガード印刷」ボタンは、コピーガード資料作成モードによってドキュメントデータＰ1からコピーガード資料用の印刷データＰAを実際に作成して、印刷出力部５に出力する。
「プレゼン印刷」ボタンは、プレゼン資料作成モードによってドキュメントデータＰ1からプレゼン資料用の印刷データＰBを実際に作成して、印刷出力部５に出力する。
【００４５】
次に、図１０を参照して地紋データＰ2の入力・編集制御の処理を説明する。図１０は、地紋データＰ2の入力・編集制御を示すフローチャートの例示である。
なお、ここでは、地紋データＰBの入力処理について示すが、メニューバー４１の「編集」ボタンがクリックされて、地紋データ情報を編集する場合には、入力済みの情報を更新するので、図１０の処理フローと同様の処理となる。
【００４６】
処理部１０（図２参照）は、ドキュメントデータＰ1を参照し、ドキュメントデータＰ1を頁ごとにスライド表示する（ステップＳ７０１）。そして、ステップＳ７０２からステップＳ７０６の処理で、頁の全ての地紋データＰ2の入力・編集処理をおこなう。全頁の地紋データＰ2の入力が終了すると（ステップＳ７０７のＹｅｓ）、地紋データＰ2の入力・編集処理を終了する。
【００４７】
詳しくは、ユーザによって、図８のイメージビューウィンドウ４２内の潜像を追加する任意の位置を選択されると、地紋領域指定手段１１は、その位置情報を取得する（ステップＳ７０３）。続いて、地紋データ生成手段１２は、図９に示す地紋データ情報入力ウィンドウ５０によって入力された地紋の地模様と、枠画像の枠形状と、枠画像の線種を示す枠画像線種とを取得する（ステップＳ７０４）。また、地紋データ生成手段１２は、地紋データ情報入力ウィンドウ５０によって入力された潜像の内容（例えば、文字列）を取得する（ステップＳ７０５）。
【００４８】
上記のステップＳ７０３からステップＳ７０５の潜像の設定処理を、ユーザは説明スライドの一頁分繰り返し行う（ステップＳ７０６）。一頁分の潜像の設定が終了したら、処理部１０は、全頁分の設定が終了したか判定し（ステップＳ７０７）、終了していない場合には、つぎの頁の説明スライドを表示して（ステップＳ７０１）、設定処理を継続する（ステップＳ７０７で“Ｎｏ”）。一方、全頁の説明スライドの潜像の設定が終了したら（ステップＳ７０７で“Ｙｅｓ”）、地紋データの入力・編集制御の処理フローを終了する。これにより、地紋データ生成手段１２は、入力された情報に基づいて地紋データＰBを作成する。
【００４９】
そして、図８のメニューバー４１の「コピーガード印刷」ボタンが選択されると、例えば、図１１（ａ）に示すコピーガード資料ＱAが画像形成装置により印刷される。また、このコピーガード資料ＱAをコピーすると、例えば、図１０（ｂ）に示すコピーＲAが画像形成装置により印刷される。
【００５０】
また、図８のメニューバー４１の「プレゼン印刷」ボタンがクリックされると、例えば、図１２（ａ）に示すプレゼン資料ＱBが画像形成装置により印刷される。また、このプレゼン資料ＱBをコピーすると、例えば、図１２（ｂ）に示すコピーＲBが画像形成装置により印刷される。
【００５１】
以上のように、実施形態に係る印刷装置１は、プレゼン資料印刷モードにおいて、ドキュメントデータＰ1の補足説明を含む資料であることを示す枠画像Ｐ31（枠部分Ｑ31）が印刷される。そして、プレゼン資料ＱBを複写することでドキュメントデータＰ1の補足内容の文字列を可読できるので、伝達情報の漏れのない説明資料を提供することができる。つまり、複写前の資料においては情報を制限していて読み易く、一方、複写後においては情報伝達量の多い説明資料となる。その為、例えば、説明する時間が限られている商談や打ち合わせで使用する説明資料として有効である。
また、実施形態に係る印刷装置１は、枠画像Ｐ31（枠部分Ｑ31）が潜像を埋め込む領域を示す。その為、複写前においても視覚によって直感的に補足説明の潜像が埋め込まれている部分（位置や数を含む）を認識することができるので、補足説明を漏れなく伝達することができる。
なお、上記の実施形態の印刷装置１では、複写する潜像を補足説明の潜像文字列として説明したが、文字に限らず図形や画像を潜像するようにしてもよい。
【００５２】
［変形例］
以上、本発明の実施形態について説明したが、本発明はこれに限定されるものではなく、特許請求の範囲の趣旨を変えない範囲で実施することができる。
【００５３】
実施形態では、枠画像Ｐ31として、実線で示された矩形状を想定して説明していた。しかしながら、枠画像Ｐ31の形状や線種はこれに限定されるものではない。実施形態で説明した以外の枠画像Ｐ31を図１３に示す。
【００５４】
図１３（ａ）は「角丸四角形吹き出し」、図１３（ｂ）は「円形吹き出し」、図１３（ｃ）は「雲型吹き出し」、図１３（ｄ）は「爆発型吹き出し」と呼ばれ、いずれも枠画像Ｐ31として使用できる。
【００５５】
図１３（ａ）の「角丸四角形吹き出し」形状の枠画像Ｐ31は、吹き出しの角の先端が、スライドの補足説明する部分を指し示すように印刷されるようにする。これにより、印刷物の複写物において、顕在化される補足説明の補足箇所を容易に認識できる。
図１３（ｂ）の「円形吹き出し」形状の枠画像Ｐ31、図１３（ｃ）の「雲型吹き出し」形状の枠画像Ｐ31、図１３（ｄ）の「爆発型吹き出し」形状の枠画像Ｐ31においても、同様に、枠画像Ｐ31の吹き出しの角部がスライドの補正説明する部分を指し示すように印刷される。
【００５６】
また、図１３（ｅ）に示すように、下線についても枠画像Ｐ31として使用できる。また、図１３に示すように、点線の枠画像Ｐ31としてもよい。
また、潜像ごとに、図１３に示した異なる枠画像Ｐ31を印刷するようにしてもよい。これによれば、ユーザは、印刷物の複数の補足説明の存在を視認することができる。
【００５７】
また、実施形態では、コピー後に背景Ｐ21が消失することで潜像Ｐ22が視認可能になる場合を説明した（ポジパターン）。しかしながら、コピー後に潜像Ｐ22が消失することで背景Ｐ21に対して潜像Ｐ22が視認可能になるようにしてもよい（ネガパターン）。
【００５８】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
領域情報として地紋に潜像を埋め込む領域を指定する指定手段と、
前記指定手段により指定された領域に潜像が埋め込まれるように前記領域情報に基づいて地紋データを生成する地紋データ生成手段と、
前記地紋データ生成手段により生成された地紋データに基づいて地紋が被記録媒体に印刷される際に所定の枠画像が前記地紋とともに前記被記録媒体に印刷されるように制御する制御手段と、
を備え、
前記制御手段は、前記領域情報に基づいて前記枠画像が印刷される領域を調整することを特徴とする印刷装置。
＜請求項２＞
前記制御手段は、前記領域情報に基づいて前記枠画像の印刷サイズまたは印刷位置を調整することを特徴とする請求項１に記載の印刷装置。
＜請求項３＞
複写が牽制される資料を作成するためのコピーガード資料作成モードと、視認情報を削減したプレゼンテーション資料を作成するためのプレゼン資料作成モードと、を切り替え選択するモード切替手段を備え、
前記制御手段は、前記コピーガード資料作成モードと前記プレゼン資料作成モードとのうち前記プレゼン資料作成モードが前記モード切替手段により選択されたときに、前記枠画像が印刷されるように制御することを特徴とする請求項１または請求項２に記載の印刷装置。
＜請求項４＞
領域情報として地紋に潜像を埋め込む領域が指定される指定ステップと、
前記指定ステップで指定された領域に潜像が埋め込まれるように前記領域情報に基づいて地紋データを生成する地紋データ生成ステップと、
前記地紋データ生成ステップで生成された地紋データに基づいて地紋が被記録媒体に印刷される際に所定の枠画像が前記地紋とともに前記被記録媒体に印刷されるように制御する制御ステップと、
を有し、
前記制御ステップは、前記領域情報に基づいて前記枠画像が印刷される領域を調整することを特徴とする印刷方法。
＜請求項５＞
地紋と枠画像とが被印刷媒体に印刷されている印刷物の製造方法であって、
領域情報として地紋に潜像を埋め込む領域が指定される指定ステップと、
前記指定ステップで指定された領域に潜像が埋め込まれるように前記領域情報に基づいて地紋データを生成する地紋データ生成ステップと、
前記地紋データ生成ステップで生成された地紋データに基づいて地紋が被記録媒体に印刷される際に所定の枠画像が前記地紋とともに前記被記録媒体に印刷されるように制御する制御ステップと、
を有し、
前記制御ステップは、前記領域情報に基づいて前記枠画像が印刷される領域を調整することを特徴とする印刷物の製造方法。
【符号の説明】
【００５９】
１      印刷装置
１０    処理部
１１    地紋領域指定手段（指定手段）
１２    地紋データ生成手段
１３    モード切替手段
１４    印刷制御手段（制御手段）
１４１  コピーガード資料印刷制御手段
１４２  プレゼン資料印刷制御手段
２１    地紋アプリ
Ｐ1      ドキュメントデータ
Ｐ2      地紋データ
Ｐ3      枠画像データ
ＰA      コピーガード資料用の印刷データ
ＱA      コピーガード資料
ＲA      コピーガード資料のコピー
ＰB      プレゼン資料用の印刷データ
ＱB      プレゼン資料
ＲB      プレゼン資料のコピー
【図１】
0006672763.tif 000002
【図２】
0006672763.tif 000003
【図３】
0006672763.tif 000004
【図４】
0006672763.tif 000005
【図５】
0006672763.tif 000006
【図６】
0006672763.tif 000007
【図７】
0006672763.tif 000008
【図８】
0006672763.tif 000009
【図９】
0006672763.tif 000010
【図１０】
0006672763.tif 000011
【図１１】
0006672763.tif 000012
【図１２】
0006672763.tif 000013
【図１３】
0006672763.tif 000014